(57)【要約】  本発明は、バックライトモジュール及び表示パネルを提供する。前記バックライトモジュールは、順に設けられる光学フィルム群、導光板、反射シート及びベース板を含む。そして、前記バックライトモジュールは、前記ベース板に接続され、前記導光板の側面に対向して設けられるフレームをさらに含む。前記光学フィルム群の一端と前記フレームとの間には、隙間が存する。【選択図】図１
2021536093.tif 000002
【特許請求の範囲】
【請求項１】
順に設けられる光学フィルム群、導光板、反射シート及びベース板を含み、
前記ベース板に接続され、前記導光板の側面に対向して設けられるフレームをさらに含み、
前記光学フィルム群の一端と前記フレームとの間には、隙間が存する、
バックライトモジュール。
【請求項２】
前記反射シートは、
前記導光板の底面に貼り付けられる第１反射シートと、
前記導光板の側面に貼り付けられ、前記フレームに対向して設けられる第２反射シートと、を含み、
前記第１反射シートと前記第２反射シートとは、一体的に設けられる、
請求項１に記載のバックライトモジュール。
【請求項３】
前記光学フィルム群は、
前記導光板の頂面に貼り付けられる第１光学フィルム群と、
前記第２反射シートの外面に貼り付けられる第２光学フィルム群と、を含み、
前記第１光学フィルム群と前記第２光学フィルム群とは、一体的に設けられる、
請求項２に記載のバックライトモジュール。
【請求項４】
前記隙間は、前記第２光学フィルム群に対向するように前記第１光学フィルム群の一方側に設けられる、
請求項３に記載のバックライトモジュール。
【請求項５】
前記隙間の幅は、前記第２反射シートの厚さよりも大きく、かつ、前記フレームと前記第２反射シートとの間に存する間隙の幅よりも小さい、
請求項２に記載のバックライトモジュール。
【請求項６】
前記光学フィルム群は、
前記反射シートから離間する前記導光板の一側面に貼り付けられ、前記導光板の一側面までに延在する第１光学フィルムと、
前記第１光学フィルムの外面に貼り付けられる第２光学フィルムと、
前記第２光学フィルムの外面に貼り付けられる第３光学フィルムと、を含む、
請求項２に記載のバックライトモジュール。
【請求項７】
前記第１光学フィルムの底部、前記第２光学フィルムの底部及び前記第３光学フィルムの底部は、同一直線上に位置する、
請求項６に記載のバックライトモジュール。
【請求項８】
前記第２光学フィルムの底部は、前記第１光学フィルムの底部よりも低くなるように前記第２反射シートの外面に固定され、
前記第３光学フィルムの底部は、前記第２光学フィルムの底部よりも低くなるように前記第２反射シートの外面に固定される、
請求項６に記載のバックライトモジュール。
【請求項９】
前記ベース板は、
前記反射シートの底面に貼り付けられる第１ベース板と、
前記第２反射シートに対向するように前記第２反射シートの外側に設けられる第２ベース板と、を含む、
請求項２に記載のバックライトモジュール。
【請求項１０】
請求項１に記載のバックライトモジュールを含む、
表示パネル。
【発明の詳細な説明】
【技術分野】
【０００１】
本発明は、表示分野に関し、特にバックライトモジュール及び表示パネルに関する。
【背景技術】
【０００２】
車載表示技術の発展に伴い、車載表示モジュールの外観要求が高まりつつある。特に車載ＬＴＰＳ表示モジュールについては、フレームの狭窄化が要求されている。
【０００３】
車載表示の信頼性に対する要求が高いため、バックライトにおける光学フィルム群が固定されていなければ、バックライトモジュールが揺れる場合、異音が発生したり、バックライトモジュールが振動する場合、光学フィルム群と導光板との相互摩擦による損傷によって光学不良が引き起こされたりする問題がある。光学フィルムは、材質（例えば、ＰＥＴ基材）により高温時において膨張することがあるため、フィルムとフレームとの空間距離が不十分である場合、光学フィルムの膨張が阻まれて皺が発生することにより、光学不良が引き起こされてしまう。
【０００４】
通常のフィルムの固定方式によれば、導光板の厚さ方向にボスを設け、両面テープでフィルムが固定される。しかしながら、導光板のボスからＶＡ領域までの距離が近いほど、ＶＡのエッジにブライトエッジが発生しやすいため、フレームの狭窄化の要求については、通常の固定方式が制限されている。
【発明の概要】
【発明が解決しようとする課題】
【０００５】
本発明は、従来の車載表示ディスプレイにおける光学フィルム群の固定方式によって表示ディスプレイのエッジにＶＡ領域ブライトエッジが発生しやすいという問題を解決することを目的とする。
【課題を解決するための手段】
【０００６】
上記の目的を実現するために、本発明のある態様によれば、
順に設けられる光学フィルム群、導光板、反射シート及びベース板を含み、
前記ベース板に接続され、前記導光板の側面に対向して設けられるフレームをさらに含み、
前記光学フィルム群の一端と前記フレームとの間には、隙間が存する、バックライトモジュールが提供される。
【０００７】
さらに、前記反射シートは、前記導光板の底面に貼り付けられる第１反射シートと、前記導光板の側面に貼り付けられ、前記フレームに対向して設けられる第２反射シートと、を含み、前記第１反射シートと前記第２反射シートとは、一体的に設けられる。
【０００８】
さらに、前記光学フィルム群は、前記導光板の頂面に貼り付けられる第１光学フィルム群と、前記第２反射シートの外面に貼り付けられる第２光学フィルム群と、を含み、前記第１光学フィルム群と前記第２光学フィルム群とは、一体的に設けられる。
【０００９】
さらに、前記隙間は、前記第２光学フィルム群に対向するように前記第１光学フィルム群の一方側に設けられる。
【００１０】
さらに、前記隙間の幅は、前記第２反射シートの厚さよりも大きく、かつ、前記フレームと前記第２反射シートとの間に存する間隙の幅よりも小さい。
【００１１】
さらに、前記光学フィルム群は、前記反射シートから離間する前記導光板の一側面に貼り付けられ、前記導光板の一側面までに延在する第１光学フィルムと、前記第１光学フィルムの外面に貼り付けられる第２光学フィルムと、前記第２光学フィルムの外面に貼り付けられる第３光学フィルムと、を含む。
【００１２】
さらに、前記第１光学フィルムの底部、前記第２光学フィルムの底部及び前記第３光学フィルムの底部は、同一直線上に位置する。
【００１３】
さらに、前記第２光学フィルムの底部は、前記第１光学フィルムの底部よりも低くなるように前記第２反射シートの外面に固定され、前記第３光学フィルムの底部は、前記第２光学フィルムの底部よりも低くなるように前記第２反射シートの外面に固定される。
【００１４】
前記ベース板は、前記反射シートの底面に貼り付けられる第１ベース板と、前記第２反射シートに対向するように前記第２反射シートの外側に設けられる第２ベース板と、を含む。
【００１５】
上記の目的を実現するために、本発明の他の態様によれば、前記バックライトモジュールを含む表示パネルが提供される。
【発明の効果】
【００１６】
本発明の態様は、下記の有益な効果を奏する。ベース板と光学フィルム群との間及びフレームと光学フィルム群との間に隙間を設けるので、光学フィルム群が熱膨張した後、延在した光学フィルム群の一端が隙間に入り込むことにより、光学フィルム群が平坦に保たれて導光板の射出面に貼り付けられる。したがって、導光板の光線が光学フィルム群を透過して正常に射出することが保証される。さらに、本発明によれば、光学フィルム群の使用寿命を延長させることができ、車載表示パネルの使用寿命を延長させることもできる。
【図面の簡単な説明】
【００１７】
【図１】本発明の実施例に係るバックライトモジュールの構造模式図である。
【図２】本発明の実施例に係る光学フィルム群の構造模式図である。
【図３】本発明の実施例に係る他のバックライトモジュールの構造模式図である。
【発明を実施するための形態】
【００１８】
以下、本発明の技術的内容を当業者に完全に紹介し、例を挙げて本発明を実施できることを証明し、本発明によって開示される技術的内容をより明確にし、当業者が本発明をどのように実施するかをより理解しやすくするために、明細書の添付図面を参考しながら本発明の好適な実施形態を詳しく説明する。当業者は、本発明を実施する方法をより容易に理解することができる。本発明は種々の態様の実施例で実現可能であり、本発明の保護範囲は本明細書に記載された実施例に限定されず、以下の実施例の説明は本発明を限定するものではない。
【００１９】
本発明の実施形態を説明するための用語として、「上」、「下」、「前」、「後」、「左」、「右」、「内」、「外」、「側面」等が用いられる。これらの用語で示される方位は、図面で示される方位に基づき、本発明を分かりやすく説明するためのものであり、本発明を限定するものではない。
【００２０】
図面において、同じ構造を有する部品は同じ番号で示され、類似の構造または機能を有する部品は類似の番号で示される。また、説明と理解を容易にするため、図面に示す各部品の大きさや厚さは任意であり、本発明は各部品の大きさや厚さを限定するものではない。
【００２１】
ある組立品が「他の組立品の上に位置する」と説明されている場合、前記組立品が前記他の組立品に直接配置されてもよく、中間組立品が介在し、前記組立品が前記中間組立品に配置され、前記中間組立品が前記他の組立品に配置されてもよい。ある組立品が他の組立品に「取り付けられる」又は「接続される」と説明されている場合、両者は互いに直接「取り付けられる」又は「接続される」、或いは一つの組立品が中間組立品を介して他の組立品に「取り付けられる」又は「接続される」と理解することができる。
【００２２】
本実施例によれば、図１に示すバックライトモジュールを含む表示パネルが提供される。前記バックライトモジュールは、光学フィルム群１、導光板２、反射シート３、ベース板４及びフレーム５を含む。
【００２３】
反射シート３は、透明両面テープ又は接着剤により導光板２の底面及び側面に貼り付けられる。反射シート３は、銀反射シートと白反射シートとの二種類を含み、導光板２から射出された光線を全反射することにより、光線が再利用され、光ロスが減少する。
【００２４】
反射シート３は、一体的に設けられた第１反射シート３１と第２反射シート３２とを含む。ここで、第１反射シート３１は、導光板２の底面に貼り付けられる。第２反射シート３２は、折り曲げられて、フレーム５に対向して設けられる導光板２の一側面に貼り付けられる。そして、第２反射シートは、第１反射シート３１に直交に接続され、第１反射シート３１と共に「Ｌ」字型の反射シートを構成する。反射シート３は、２つの部分に分割され、当該二つの部分がそれぞれ導光板２の底面及び側面を覆うことにより、導光板２に入射した光線は、第１反射シート３１及び第２反射シート３２により全反射されて導光板２の射出面から射出される。
【００２５】
第２反射シート３２の長さは、導光板２の厚さと第１反射シート３１の厚さとの和である。すなわち、導光板２の側面は第２反射シート３２に完全に覆われるので、導光板２の側面に空白が残留していない。これにより、導光板２に入射した光線は、導光板２の側面に到達して第２反射シート３２により反射されるので、光線が導光板２の射出面から射出されること及び光学フィルム群１から射出されることが保証される。これにより、光線の反射率及び射出率が向上し、表示パネルの輝度が向上する。
【００２６】
第２反射シート３２は、一般的に導光板２の三つの非入射側の表面に貼り付けられる。すなわち、光源に対向する一側面だけに第２反射シート３２が貼り付けられないが、導光板２から離間する前記光源の一側面に第２反射シート３２が貼り付けられてもよい。この場合、前記光源の背向の小部分の光線が第２反射シート３２により反射されて導光板２に入射する。これにより、反射シート３の反射率がさらに向上する。このとき、第２反射シート３２は、光線の反射率及び利用率を向上させるだけではない。
【００２７】
光学フィルム群１は、透明両面テープ又は接着剤により導光板２の底面及び側面に貼り付けられる。
【００２８】
光学フィルム群１は、一体的に設けられた第１光学フィルム群１１及び第２光学フィルム群１２を含む（図２を参照）。ここで、第１光学フィルム群１１は、導光板２の頂面（射出面）に貼り付けられ、第２光学フィルム群１２は、折り曲げられて、第２反射シート３２の外面に貼り付けられる。そして、第２光学フィルム群１２は、第１光学フィルム群１１に直交に接続され、第１光学フィルム群１１と共に「Ｌ」字型の光学フィルム群を構成する。第２光学フィルム群１２は、透明両面テープ又は接着剤により第２反射シート３２の外面に貼り付けられた後に、光学フィルム群１が導光板２に固定される。第２光学フィルム群１２は、表示パネルの側面にも光線を通過させるので、表示パネルにおけるエッジの輝度を向上させ、表示パネルの輝度及び均一性を向上させることができる。
【００２９】
第２光学フィルム群１２は、第１光学フィルム１０１、第２光学フィルム１０２及び第３光学フィルム１０３を含む。
【００３０】
本実施例において、第１光学フィルム１０１の底部、第２光学フィルム１０２の底部及び第３光学フィルム１０３の底部は、同一直線上に位置する。しかしながら、他の実施例において、第１光学フィルム１０１の底部、第２光学フィルム１０２の底部及び第３光学フィルム１０３の底部は、同一直線上に位置しなくてもよい。図３に示すように、第２光学フィルム１０２の底部は、第１光学フィルム１０１の底部よりも低く、第２反射シート３２の外面に固定される。第３光学フィルム１０３の底部は、第２光学フィルム１０２の底部よりも低く、第２反射シート３２の外面に固定される。
【００３１】
第２光学フィルム群１２は、導光板２の一つ又は二つの側面に設けられてもよいが、同時に導光板２における互いに平行な二つの側面に設けられてはならない。光学フィルム群１のスリップ現象を防止するために、互いに平行な二つの側面のうち、少なくとも一つの側面に位置する第２光学フィルム群１２が固定状態であることを保証する必要がある。
【００３２】
光学フィルム群１は、多層光学フィルムを含み、例えば、拡散フィルム、下光増強フィルム及び上光増強フィルム等を含んでもよい。本実施例において、光学フィルム群１は、三層光学フィルムであることが好ましい。そして、第１光学フィルム１０１は、拡散フィルム１０１であり、第２光学フィルム１０２は、下光増強フィルム１０２であり、第３光学フィルム１０３は、上光増強フィルム１０３である。
【００３３】
拡散フィルム１０１は、導光板２の頂面（射出面）に貼り付けられるものであり、導光板２の一側面に貼り付ける拡散フィルム延在部を含む。拡散フィルム１０１は、前記射出面から射出した光線を霧化することにより、散乱した光源を均一化させて光線の均一性を向上させるとともに、サイド光（すなわち、側面から入射した光）を正面に分散させて表示パネルの正面の輝度を向上させることができる。
【００３４】
下光増強フィルム１０２は、拡散フィルム１０１の上面に貼り付けられるものであり、前拡散フィルム延在部の外面に貼り付けられる下光増強フィルム延在部を含む。下光増強フィルム１０２は、前記光源における光線を集光する効果を奏し、光束を増加することができる。
【００３５】
上光増強フィルム１０３は、下光増強フィルム１０２の上面に貼り付けられるものであり、前記下光増強フィルム延在部の外面に貼り付けられる上光増強フィルム延在部を含む。上光増強フィルム１０３は、前記光源における光線を集光する効果を奏し、光束を増加することができる。
【００３６】
本実施例において、バックライトモジュールは、サイドエントリーバックライトモジュールである。前記光源（図示せず）は、導光板２の入射面に対向するように図１に示す導光板２の左側に設けられる。光学フィルム群１は、導光板２の射出面に貼り付けられる。光線は、前記光源から射出してから導光板２に入射する。そして、導光板２の下方に入射した光線が第１反射シート３１により上方へ反射された後に導光板２の射出面から射出する。一方、導光板２の側面に入射した光線が第２反射シート３２により一回又は複数回反射された後に導光板２の射出面から射出する。前記射出面から射出した光線が光学フィルム群１により拡散される。これにより、前記バックライトモジュールの集光性がさらに向上し、前記表示パネルの輝度及び均一性もさらに向上する。
【００３７】
ベース板４は、第１ベース板４１及び第２ベース板４２を含む。第１ベース板４１は、第１反射シート３１の底面に貼り付けられる。第２ベース板４２は、第２反射シート３２に対向するように第２反射シート３２の外側に設けられる。すなわち、第２ベース板４２は、第２反射シート３２と平行に形成されるとともに、第１ベース板４１と直交に形成される。そして、第２ベース板４２は、第１ベース板４１と共に「Ｌ」字型のベース板を構成する。ベース板４は、バックライトモジュールを保護する効果を奏する。ベース板４の材質は、金属であり、ベース板４は、「Ｌ」字型の金型内で成形されてもよく、プレス成形されてもよい。
【００３８】
第２ベース板４２の頂面は、光学フィルム群１への損傷が防止されるように第２光学フィルム群１２の底部の下方に設けられる。
【００３９】
第２反射シート３２は、第１反射シート３１と直交に形成され、及び／又は、第２光学フィルム群１２は、第１光学フィルム群１１と直交に形成され、及び／又は、第２ベース板４２は、第１ベース板４１と直交に形成されるとともに、導光板２の一側面と平行に形成される。本実施例において、第２反射シート３２は、第１反射シート３１と直交に形成される。第２光学フィルム群１２は、第１光学フィルム群１１と直交に形成される。第２ベース板４２は、第１ベース板４１と直交に形成されるとともに、導光板２一側面と平行に形成される。
【００４０】
フレーム５は、ベース板４に接続され、前記バックライトモジュールを保護する効果を奏し、一体的に設けられた第１フレーム５１及び第２フレーム５２を含む。
【００４１】
第１フレーム５１は、第２反射シート３２に対向して設けられる。第２フレーム５２は、第１ベース板４１に対向して設けられる。第１フレーム５１の上端は、折り曲げられて、光学フィルム群１の上方に延在するとみなすことができる。第２フレーム５２は、第１光学フィルム群１１と平行に形成されるが、第２フレーム５２の端部は、導光板２の真上に延在してはならない。第２フレーム５２の端部が導光板２の真上に延在する場合、光線の射出範囲に影響を与え、表示パネルの輝度範囲に影響を与えてしまう。
【００４２】
フレーム５と第１光学フィルム群１１との間には、第１隙間６１が存する。第１隙間６１の幅は、第２反射シート３２の厚さよりも大きく、かつ、第１フレーム５１と第２反射シート３２との間に位置する間隙の幅よりも小さい。第１隙間６１の幅は、ミリメートルレベルである。光学フィルム群１が高温の影響を受けると、光学フィルム群１の一端が第１隙間６１に入り込むので、光学フィルム群１が平坦に保たれて導光板２射出面に貼り付けられる。したがって、導光板２における光線が光学フィルム群１を透過して正常に射出することが保証される。
【００４３】
第２ベース板４２と第２反射シート３２との間には、第２隙間６２が存する。第２隙間６２は、第１隙間６１に連通し、第２反射シート３２が外に膨張する空間を提供する。
【００４４】
本実施例において、表示パネルは、車載表示分野に用いられ、使用時で高温に耐える必要がある。光学フィルム群１が高温で膨張しやすいため、光学フィルム群１の片側に隙間を増設することにより、光学フィルム群１が平坦に保たれて導光板２射出面に貼り付けられる。したがって、導光板２における光線が光学フィルム群１を透過して正常に射出することが保証される。
【００４５】
本実施例において、表示パネル下記の有益な効果を奏する。ベース板と光学フィルム群との間及びフレームと光学フィルム群との間に隙間を設けるので、光学フィルム群が熱膨張した後、延在した光学フィルム群の一端が隙間に入り込むことにより、光学フィルム群が平坦に保たれて導光板の射出面に貼り付けられる。したがって、導光板の光線が光学フィルム群を透過して正常に射出することが保証される。さらに、本発明によれば、光学フィルム群の使用寿命を延長させることができ、車載表示パネルの使用寿命を延長させることもできる。
【００４６】
以上、本発明は好適実施例で上記のように開示されたが、当業者は、本開示の精神及び範囲から逸脱しない限り、若干の変更及び修正を加えることができる。したがって、本開示の保護範囲は、特許請求の範囲によって定義される範囲に準ずる。
【符号の説明】
【００４７】
１：光学フィルム群
２：導光板
３：反射シート
４：ベース板
５：フレーム
１１：第１光学フィルム群
１２：第２光学フィルム群
１０１：第１光学フィルム
１０２：第２光学フィルム
１０３：第３光学フィルム
３１：第１反射シート
３２：第２反射シート
４１：第１ベース板
４２：第２ベース板
５１：第１フレーム
５２：第２フレーム
６１：第１隙間
６２：第２隙間
【図１】
2021536093.tif 000003
【図２】
2021536093.tif 000004
【図３】
2021536093.tif 000005
【国際調査報告】
2021536093.tif 000006
2021536093.tif 000007
2021536093.tif 000008
2021536093.tif 000009
2021536093.tif 000010
2021536093.tif 000011